(57)【要約】      （修正有）【課題】ディスプレイを閉じた後に実行させる動作の指示を軽減した電子装置を提供する。【解決手段】車載装置は、筐体１２と、その前面に可動式に取付けられるディスプレイ１４とを含む。筐体１２の前面には、現在地の地図を表示させる現在地ボタン１８、メニュー画面を表示させるメニューボタン２０、ディスプレイの開閉を指示する開閉ボタン２２などが設けられる。ディスプレイ１４が開位置にあるとき、いずれかの入力ボタンが押下されると、ディスプレイ１４が開位置から閉位置へ移動され、押下された入力ボタンに割り当てられた機能に対応する動作が、ディスプレイ１４が閉位置への移動を開始した後に実行される。【選択図】図５
2016085777.tif 000002
【特許請求の範囲】
【請求項１】
可動式のディスプレイを含む電子装置であって、
前記ディスプレイを開位置から閉位置または閉位置から開位置に移動させる駆動手段と、
操作入力を受け取る入力手段と、
前記ディスプレイが開位置にあるとき、前記入力手段への操作入力に応答して前記ディスプレイを開位置から閉位置へ移動させるように前記駆動手段を制御する駆動制御手段と、
前記ディスプレイが閉位置への移動を開始した後に実行する動作を、前記入力手段への操作入力に割り当てられた機能に基づき決定する動作決定手段と、を有する電子装置。
【請求項２】
前記入力手段は、複数の入力キーを含み、前記駆動制御手段は、前記複数の入力キーのいずれかの入力キーが選択されたことに応答して前記ディスプレイを閉位置へ移動させ、前記動作決定手段は、前記選択された入力キーに割り当てられた機能に対応する動作を決定する、請求項１に記載の電子装置。
【請求項３】
前記入力手段は、前記ディスプレイの表示面に表示されたタッチ選択可能な複数の入力ボタンを含み、前記駆動制御手段は、前記複数の入力ボタンのいずれかの入力ボタンが選択されたことに応答して前記ディスプレイを閉位置へ移動させ、前記動作決定手段は、前記選択された入力ボタンに割り当てられた機能に対応する動作を決定する、請求項１に記載の電子装置。
【請求項４】
前記動作決定手段はさらに、前記ディスプレイが開位置または閉位置のいずれにあるかを判定する判定手段と、前記判定手段によりディスプレイが開位置にあると判定されたとき前記入力手段の操作入力を識別する識別手段とを含み、前記動作決定手段は、前記識別手段により識別された操作入力に対応する動作を決定する、請求項１ないし３いずれか１つに記載の電子装置。
【請求項５】
電子装置は、複数の機能をそれぞれ実行するための複数の動作モードを含み、前記入力手段には、前記複数の機能が割り当てられている、請求項１ないし４いずれか１つに記載の電子装置。
【請求項６】
電子装置はさらに、前記ディスプレイが移動可能に取付けられた筐体を含み、前記ディスプレイが開位置にあるとき、前記筐体の前面が露出され、前記ディスプレイが閉位置にあるとき、前記筐体の前面を覆うように前記ディスプレイが直立し、
前記筐体の前面には、メディアの挿入または排出が可能な挿入／排出口が形成され、前記メディアが挿入されたとき、電子装置は、前記メディアに記録されたデータを再生可能である、請求項１ないし５いずれか１つに記載の電子装置。
【発明の詳細な説明】
【技術分野】
【０００１】
本発明は、可動式ディスプレイを備えた電子装置に関し、特に、車両に搭載された電子装置においてディスプレイを閉じるときの操作に関する。
【背景技術】
【０００２】
近年、ナビゲーション、テレビ、オーディオ等の機能を有し、車両に搭載される複合電子装置としてＡＶＮ（Ａｕｄｉｏ  Ｖｉｓｕａｌ  Ｎａｖｉｇａｔｉｏｎ）装置が普及している。ＡＶＮ装置は、限られたスペースを有効に利用すべく、所定のサイズ（例えば、２ＤＩＮサイズ）に収まるように設計され、ＡＶＮ装置の筐体の前面には、可動式のディスプレイが設けられ、ディスプレイを閉位置から開位置に移動させたとき、メディアの挿入／排出口が露出され、ＣＤやＤＶＤ等のメディアの挿入または排出が可能である。このような可動式のディスプレイを備えた車載装置は、例えば特許文献１に記載されている。特許文献１では、前面パネル部材を直立位置から水平位置まで前面を上向きに傾斜させながら、前面パネル部材の上側の一部を本体シャーシ内に収容するように案内溝で誘導している。
【先行技術文献】
【特許文献】
【０００３】
【特許文献１】特開平０９−０４５０６２号公報
【発明の概要】
【発明が解決しようとする課題】
【０００４】
特許文献１のように、筐体前面に可動式ディスプレイ（または表示パネル）を取り付けた電子装置には、次のような課題がある。図７は、従来の課題の一例を説明する図である。図７（ａ）に示すように、ＡＶＮ装置３００は、例えば、２ＤＩＮサイズの筐体３１０と、筐体３１０の前面に可動式に取付けられたディスプレイ３２０とを含んでいる。ディスプレイ３２０は、例えば、特許文献１に示されるように、直立した状態から、表示面３２２を上方に向けたまま水平状態に、あるいは水平状態から直立した状態に移動される。図７（ｂ）、（ｃ）に示すように、ディスプレイ３２０が直立した状態にあるとき、ディスプレイは閉位置となり、図７（ａ）に示すように、ディスプレイ３２０が水平状態にあるとき、ディスプレイは開位置となり、筐体３１０の前面のメディア挿入／排出口３３０が露出される。
【０００５】
図７（ａ）に示すようにディスプレイ３２０が開いた状態からディスプレイ３２０を閉じるためには、筐体３１０の前面に設置された複数の入力キー３４０、あるいは表示面３２２に表示されたタッチ操作用の入力ボタンのいずれかを押下しなければならない。しかし、この操作は、ディスプレイ３２０を閉じさせるだけであり、ユーザーが次に所望する目的の動作（例えば、ナビゲーションのメニュー画面の表示、現在位置を含む地図画面の表示、ＡＶソースを選択する画面の表示など）へ直接遷移することができず、ディスプレイ３２０が閉じられた後に、あらためて目的の動作のための遷移操作を行わなければならず、素早い操作ができないという不自由さがあった。
【０００６】
例えば、オーディオを視聴し、ＣＤ／ＤＶＤ等を取り出した後に、現在置を含む地図画面を表示させたい場合、図７（ａ）に示すように、開閉キーを押下することでディスプレイ３２０を開位置に移動させ、メディア挿入／排出口３３０からディスクを取り出し、次に、いずれかの入力キー３４０またはタッチ操作用の入力ボタンを押下すると、それに応答してディスプレイ３２０が図７（ｂ）に示すように閉位置に移動する。このとき、表示面３２２には、“Ｎｏ  Ｄｉｓｃ”などが表示され、次に、ユーザーは、現在地を含む地図画面を表示させるための入力操作を必要とされる。
【０００７】
本発明は、このような従来の課題を解決するものであり、ディスプレイを閉じた後に実行させる動作の指示を軽減した電子装置を提供することを目的とする。
【課題を解決するための手段】
【０００８】
本発明に係る可動式のディスプレイを含む電子装置は、前記ディスプレイを開位置から閉位置または閉位置から開位置に移動させる駆動手段と、操作入力を受け取る入力手段と、前記ディスプレイが開位置にあるとき、前記入力手段への入力に応答して前記ディスプレイを開位置から閉位置へ移動させるように前記駆動手段を制御する駆動制御手段と、前記ディスプレイが閉位置への移動を開始した後に実行する動作を、前記入力手段への入力に割り当てられた機能に基づき決定する動作決定手段とを有する。
【０００９】
好ましくは前記入力手段は、複数の入力キーを含み、前記駆動制御手段は、前記複数の入力キーのいずれかの入力キーが選択されたことに応答して前記ディスプレイを閉位置へ移動させ、前記動作決定手段は、前記選択された入力キーに割り当てられた機能に対応する動作を決定する。好ましくは前記入力手段は、前記ディスプレイの表示面に表示されたタッチ選択可能な複数の入力ボタンを含み、前記駆動制御手段は、前記複数の入力ボタンのいずれかの入力ボタンが選択されたことに応答して前記ディスプレイを閉位置へ移動させ、前記動作決定手段は、前記選択された入力ボタンに割り当てられた機能に対応する動作を決定する。好ましくは前記動作決定手段はさらに、前記ディスプレイが開位置または閉位置のいずれにあるかを判定する判定手段と、前記判定手段によりディスプレイが開位置にあると判定されたとき前記入力手段の入力を識別する識別手段とを含み、前記動作決定手段は、前記識別手段により識別された入力に対応する動作を決定する。好ましくは電子装置は、複数の機能をそれぞれ実行するための複数の動作モードを含み、前記入力手段には、前記複数の機能が割り当てられている。好ましくは電子装置はさらに、前記ディスプレイが移動可能に取付けられた筐体を含み、前記ディスプレイが開位置にあるとき、前記筐体の前面が露出され、前記ディスプレイが閉位置にあるとき、前記筐体の前面を覆うように前記ディスプレイが直立し、前記筐体の前面には、メディアの挿入または排出が可能な挿入／排出口が形成され、前記メディアが挿入されたとき、電子装置は、前記メディアに記録されたデータを再生可能である。
【発明の効果】
【００１０】
本発明によれば、入力手段へのユーザー入力にあったときに、ディスプレイを開位置から閉位置に移動させ、かつ、ディスプレイが閉位置への移動を開始した後に実行される動作を当該入力に割り当てられた機能に基づき決定するようにしたので、１度の入力操作によって、ディスプレイの閉指示と動作指示が可能になり、ユーザー操作の利便性を向上させることができる。
【図面の簡単な説明】
【００１１】
【図１】本発明の実施例に係る車載装置の外観を示す斜視図であり、図１（ａ）は、ディスプレイが閉位置の状態を示し、図１（ｂ）は、ディスプレイが開位置の状態を示す図である。
【図２】本発明の実施例に係る車載装置の電気的な構成例を示す図である。
【図３】本発明の実施例に係る動作モード制御プログラムの機能的な構成を示すブロック図である。
【図４】本発明の第１の実施例に係る動作モード制御フローを示す図である。
【図５】本発明の第１の実施例に係る車載装置の外観を示す斜視図であり、図５（ａ）は、ディスプレイが閉位置の状態を示し、図５（ｂ）は、ディスプレイが開位置の状態を示す図である。
【図６】本発明の第２の実施例を説明する図であり、図６（ａ）は、ディスプレイが開位置にある状態を示し、図６（ｂ）は、ディスプレイに表示される入力ボタンの一例を示す図である。
【図７】従来の可動式ディスプレイを有する車載装置の課題を説明する図である。
【発明を実施するための形態】
【００１２】
次に、本発明の実施の形態について図面を参照して詳細に説明する。本は発明の実施の形態に係る電子装置は、車両等の移動体内に備えられた車載装置である。車載装置の機能は、特に制限されないが、種々の機能を包含することができ、例えば、ナビゲーション機能、オーディオ・ビデオデータを再生する機能、テレビ・ラジオ方法を受信する機能などを備えることが可能である。
【実施例】
【００１３】
図１は、本発明の実施例に係る車載装置の外観を示す斜視図である。図１（ａ）は、ディスプレイが閉位置の状態を示し、図１（ｂ）は、ディスプレイが開位置の状態を示している。車載装置１０は、矩形状の筐体１２と、筐体１２の前面に設置された可動式ディスプレイ１４を有する。可動式のディスプレイ１４は、図示しない駆動機構により移動され、例えば、ディスプレイ１４は、表示面１５が上向きになるようにスライドし、図１（ｂ）に示す開位置にまで移動する。ディスプレイ１４が開位置にあるとき、筐体１２の前面には、ディスク状の媒体や他の記憶媒体を挿入または排出するための挿入／排出口１６が露出される。また、車載装置１０には、ユーザーからの入力を受け取る入力キー１７が設けられ、入力キー１７は、例えば、筐体１２の側部に設けられる。さらにディスプレイ１４の前面に入力キーを設けることも可能である。
【００１４】
次に、本発明の実施例に係る車載装置の内部の電気的な構成例を図２に示す。本発明の実施例に係る車載装置１０は、入力部１００、ディスプレイ１４を含む表示部１１０、ナビゲーション部１２０、音声出力部１３０、メディア挿入／排出口１６を含むマルチメディア再生部１４０、記憶部１５０、無線通信部１６０、ディスプレイ駆動部１７０、制御部１８０を含んで構成される。なお、図２に示す車載装置１０の構成は例示であり、これに限定されることを意図するものではない。
【００１５】
入力部１１０は、ユーザーからの指示を受け取り、これを制御部１８０へ伝える。入力部１１０は、図２に示すような入力キー１７、音声認識装置、ディスプレイ１４に搭載されたタッチ式入力などを含むことができる。表示部１１０は、ディスプレイ１４を含み、動作モードで選択されたソースから提供された画像を表示面１５に表示することができる。さらに表示部１１０は、例えば、タッチパネル等の入力デバイスを含み、ユーザーは、ディスプレイ１４に触れることで入力操作を行うことできる。
【００１６】
ナビゲーション部１２０は、図示しない位置情報取得部で取得された位置情報をもとに、自車位置周辺の道路地図を表示させたり、ユーザーが設定する目的地までの経路を算出したりする。位置情報取得部は、例えば、ＧＰＳ衛星から送信される信号を利用して検出された位置情報を取得したり、ジャイロセンサや加速度センサなど、車両に搭載された種々のセンサにより検出された位置情報を取得する。取得された位置情報は、自車位置の算出等に利用される。音声出力部１３０は、ナビゲーション部１２０で算出された経路の音声案内を出力したり、マルチメディア再生部１４０によって再生された音声データを出力したりする。
【００１７】
マルチメディア再生部１４０は、メディア挿入／排出口１６から挿入されたＣＤ、ＤＶＤ、メモリなどの外部媒体や記憶部１５０から読み出されたビデオデータ等を再生したり、テレビ放送やラジオ放送で受信したビデオデータ等を再生したりする。再生されたデータは、表示部１１０、音声出力部１３０から出力される。
【００１８】
記憶部１５０は、アプリケーションなどのプログラムデータや種々のデータを記憶することができる。例えば、記憶部１５０は、ナビゲーション部１２０で必要な地図データベースや施設データベースを記憶することができる。本実施例では、後述する動作モード制御プログラム２００を記憶している。
【００１９】
無線通信部１６０は、近距離無線通信等により外部機器との無線通信によるデータ授受を行う。例えば、車載装置１０が搭載されている車内に持ち込まれた携帯型端末装置と、無線通信により接続することができる。
【００２０】
ディスプレイ駆動部１７０は、ディスプレイ１４を閉状態から開状態、あるいは開状態から閉状態へ移動させる。ディスプレイ駆動部１７０の駆動は、制御部１８０によって制御され、制御部１８０は、例えば、ユーザーからのディスプレイの開閉の指示を受け取ると、それに応答してディスプレイを開閉させることができる。１つの態様では、図２に示す複数の入力キー１７のいずれかの入力キーに、ディスプレイを閉状態から開状態へ移行させるための機能が割り当てられる。あるいは他の態様では、ディスプレイ１４の表示面１５に表示されたタッチ用の入力ボタンに、ディスプレイを閉状態から開状態へ移行させるための機能が割り当てられる。また、ディスプレイ１４を開状態から閉状態へ移行させる場合の動作の詳細については、後述する。
【００２１】
制御部１８０は、マイクロプロセッサやマイクロコントローラを含み、ＲＯＭ／ＲＡＭあるいは記憶部１５０に記憶されたプログラム等を実行することにより各部を制御する。好ましい態様では、制御部１８０は、可動的ディスプレイ１４の開閉動作と連動して動作モードを決定する動作モード制御プログラム２００を含む。
【００２２】
図３に、本実施例の動作モード制御プログラムの機能的な構成を示す。同図に示すように、動作モード制御プログラム２００は、ディスプレイ１４が開状態または閉状態にあるのかを判定する開閉状態判定部２１０と、ディスプレイ１４の閉状態への入力の識別する閉状態入力識別部２２０と、ディスプレイの閉状態への入力が識別されたとき、ディスプレイ駆動部１７０にディスプレイ１４を閉状態へ移動させる指示を与えるディスプレイ閉指示部２３０と、閉状態入力識別部２２０により識別された入力に対応する動作モードを決定する動作モード決定部２４０とを有する。
【００２３】
開閉状態判定部２１０は、例えば、ディスプレイの位置を検出するセンサの検出結果に基づきディスプレイが開状態または閉状態にあるかを判定する。あるいは、ディスプレイ駆動部１７０による駆動状況から開状態または閉状態を判定するようにしてもよい。閉状態入力識別部２２０は、開閉状態判定部２１０によってディスプレイが開状態にあると判定された場合に、ディスプレイの閉状態への入力を識別する。１つの態様では、車載装置１０に設けられた入力キーのすべてに、ディスプレイの閉状態への入力の機能が割り当てられる。言い換えれば、ディスプレイ１４が開状態にあるとき、いずれかの入力キー１７が押下されたならば、ディスプレイの閉状態への入力があったものと識別される。他の態様では、入力キー１７の中から選択された入力キーに対してのみ、ディスプレイの閉状態への入力の機能が割り当てられるようにしてもよい。
【００２４】
ディスプレイ閉指示部２３０は、閉状態入力識別部２２０によってディスプレイの閉状態への入力が識別されると、ディスプレイを閉状態へ移行させるための制御信号をディスプレイ駆動部１７０へ提供する。これにより、ディスプレイ駆動部１７０は、開状態にあるディスプレイを閉状態へ移行させる。
【００２５】
動作モード決定部２４０は、閉状態入力識別部２２０によって識別された入力に対応する動作モードを決定し、車載装置１０の各部を制御する。例えば、閉状態入力識別部２２０によって、入力キー１７の中から現在地を表示させる現在地ボタンの押下が識別された場合には、動作モード決定部２４０は、現在地を表示させるモードを決定し、ディスプレイが閉状態に移行されたとき、ディスプレイ１４に現在地を含む地図を表示させる。従って、現在地ボタンの入力は、ディスプレイ１４の閉状態への入力と、次に所望する動作の入力との２つの機能を同時に含むことになる。なお、動作モード決定部２４０で決定された動作モードの実行タイミングは、入力操作が行われた後あれば、ディスプレイ１４が閉状態へ移動する際の移動中、移動後のいずれであっても良い。また、ディスプレイ１４の閉状態への移動が開始する前に動作モードの実行を行うものであっても良い。
【００２６】
次に、本発明の第１の実施例による動作モード制御の詳細を説明する。図４は、第１の実施例の動作フローであり、図５は、入力操作例である。図５（ａ）に示すように、入力キー１７には、例えば、現在地ボタン１８、メニューボタン２０、開／閉ボタン２２が含まれているものとする。例えば、ユーザーがオーディオ視聴後に筐体１２からＣＤ／ＤＶＤを取り出すために、開／閉ボタン２２を押下したとする。制御部１８０は、開／閉ボタン２２が押下されると、ディスプレイ駆動部１７０を介してディスプレイ１４を開位置へ移行させ、挿入／排出口１６を露出させ、ＣＤ／ＤＶＤが取り出せる状態となる。
【００２７】
ここで、ディスプレイ１４が開状態にある場合には、現在地ボタン１８、メニューボタン２０および開／閉ボタン２２のいずれにも、ディスプレイの閉状態への入力の機能が与えられているものとする。
【００２８】
図５（ａ）に示すようにディスプレイ１４が開位置にあるとき、開閉状態判定部２１０は、ディスプレイが開状態にあると判定する（Ｓ１００）。次に、閉状態入力識別部２２０は、ユーザーからの入力を監視し、入力があったとき、それが閉状態入力であるか否かを識別する（Ｓ１０２）。本例では、ユーザーは、オーディオ視聴後に次の動作として現在地の表示を所望するため、現在地ボタン１８を押下するものとする。閉状態入力識別部２２０は、現在地ボタン１８が押下されると、現在地ボタンが閉状態入力であることを識別し、その識別結果をディスプレイ閉指示部２３０および動作モード決定部２４０へ提供する。ディスプレイ閉指示部２３０は、閉状態入力が識別されると、ディスプレイ駆動部１７０に対しディスプレイ１４を閉位置に移動させる指示を与え（ステップＳ１０４）、これにより、ディスプレイ１４が閉位置へ移動される。また、動作モード決定部２４０は、閉状態入力が識別されると、次に実行される動作は、識別された入力に割り当てられている機能に対応する動作であると決定し（Ｓ１０６）、各部の動作を制御する。本例では、現在地ボタン１８が押下されているので、動作モード決定部２４０は、ディスプレイが閉位置に移行した後の最初の動作は、現在地ボタン１８に対応する機能、すなわち現在地を含む道路地図の表示であると決定する。その結果、図５（ｂ）に示すように、ディスプレイ１４が閉じた位置に移行すると、表示面１５には、現在地の道路地図が表示される。もし、ユーザーがメニューボタン２０を押下した場合には、ディスプレイ１４が閉じた位置に移行すると、表示面１５には、メニュー画面が表示される。なお、開／閉ボタン２２のように、他の動作機能が割り当てられていない場合には、ディスプレイ１４の開閉のみを行うようにしても良い。
【００２９】
このように本実施例によれば、入力キーを１回操作することにより、ディスプレイを開状態から閉状態に移動させるとともに、ディスプレイが閉状態への移動を開始した後に、操作された入力キーに割り当てられた機能が実行されるようにしたので、素早い操作が可能になり、ユーザー操作の利便性を向上させることができる。
【００３０】
次に、本発明の第２の実施例について説明する。第１の実施例では、車載装置１０に設けられた入力キー（ハードキー）に連動して動作モードを決定するものであるが、第２の実施例では、ディスプレイ１４の表示面１５に表示された入力ボタン（ソフトキー）に連動して動作モードを決定する。
【００３１】
第２の実施例では、開閉状態判定部２１０によってディスプレイが開状態にあると判定されたとき、制御部１８０は、図６（ａ）に示すように、ディスプレイ１４の表示面１５に複数の入力ボタン３０、３２、３４を表示させる。入力ボタン３０、３２、３４には、それぞれの機能が予め割り当てられ、ユーザーは、タッチ操作することで入力ボタン３０、３２、３４の機能を選択することができる。入力ボタン３０、３２、３４に割り当てられる機能は、入力キー１８、２０、２２に割り当てられた機能と同一であってもよいし、完全に異なるものであってもよい。
【００３２】
図６（ｂ）は、ディスプレイの表示例である。同図に示すように、ディスプレイ１４が開位置にあるとき、表示面１５には、現在地の地図を表示させるための入力ボタン３０、メニュー画面を表示させるための入力ボタン３２、オーディオ・ビデオのソースを選択するための入力ボタン３４が表示される。また、入力ボタン３０〜３４の表示に加えて、動作案内３６が表示され、例えば、「入力ボタンをタッチするとディスプレイが閉じます。閉じた後の動作は、入力ボタンで選択できます」などが表示される。なお、音声出力による案内を行うようにしてもよい。
【００３３】
ユーザーが、いずれかの入力ボタンをタッチすると、第１の実施例のときと同様に、閉状態入力識別部２２０によって閉状態入力が識別され、ディスプレイ１４が開位置から閉位置へ移行される。動作モード決定部２４０は、識別された入力ボタンに割り当てられた機能に対応する動作モードを決定し、ディスプレイ１４が閉位置へ移動するや否や、決定された動作モードを実行させる。
【００３４】
このように第２の実施例によれば、開状態にあるディスプレイに表示された入力ボタンをタッチすることにより、ディスプレイの閉動作と、入力ボタンに割り当てられた機能に対応する動作を、ディスプレイが閉位置に移行した最初に実行させることができる。
【００３５】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００３６】
１０：車載装置                          １２：筐体
１４：ディスプレイ                      １５：表示面
１６：メディア挿入／排出口              １７：入力キー
１８：現在地ボタン                      ２０：メニューボタン
２２：開閉ボタン                        ３０、３２、３４：入力ボタン
１００：入力部                          １１０：表示部
１２０：ナビゲーション部                １３０：音声出力部
１４０：マルチメディア再生部            １５０：記憶部
１６０：無線通信部                      １７０：ディスプレイ駆動部
１８０：制御部                          ２００：動作モード示制御プログラム
２１０：開閉状態判定部                  ２２０：閉状態入力識別部
２３０：ディスプレイ閉指示部            ２４０：動作モード決定部
【図１】
2016085777.tif 000003
【図２】
2016085777.tif 000004
【図３】
2016085777.tif 000005
【図４】
2016085777.tif 000006
【図５】
2016085777.tif 000007
【図６】
2016085777.tif 000008
【図７】
2016085777.tif 000009